(57)【要約】【課題】建物屋上に設置する太陽電池アレイおよびその支持架台について、高い造安定性を確保できる太陽電池アレイの支持構造を提供すること。【解決手段】太陽電池アレイの支持構造１は、建物１０の屋上に設置された太陽電池アレイ３０の支持構造であり、建物１０の屋上面１２に設けられた支持架台２０と、支持架台２０に支持された複数の太陽電池アレイ３０と、太陽電池アレイ３０に作用する風力を低減する風力低減機構４０と、を備え、風力低減機構４０は、平面視で建物１０の外壁面１１から離れて配置されかつ太陽電池アレイ３０の上面の高さ位置から屋上面１２よりも下方まで延びる板状のメッシュ膜５０と、建物１０の外壁面１１から外側に向かって略水平に延びるグレーチング６０と、を備える。【選択図】図２
2019161793.tif 000002
【特許請求の範囲】
【請求項１】
建物の屋上に設置された太陽電池アレイの支持構造であって、
前記建物の屋上面に設けられた支持架台と、
当該支持架台に支持された太陽電池アレイと、
前記太陽電池アレイに作用する風力を低減する風力低減機構と、を備え、
当該風力低減機構は、平面視で当該建物の外壁面から離れて配置されかつ前記太陽電池アレイの上面の高さ位置から前記屋上面よりも下方まで延びる第１の風力低減材、および、前記建物の外壁面から外側に向かって略水平に延びる第２の風力低減材のうち、少なくとも一方を備えることを特徴とする太陽電池アレイの支持構造。
【請求項２】
前記太陽電池アレイは、前記建物の外壁面の外側に設けられ、
前記風力低減機構は、当該太陽電池アレイまたは前記支持架台に支持されて当該太陽電池アレイの下面を覆う第３の風力低減材を備えることを特徴とする請求項１に記載の太陽電池アレイの支持構造。
【請求項３】
前記支持架台は、前記建物の外壁面の外側まで延長して設けられており、前記建物の外側の地表面に設けられた外周柱と、当該外周柱同士を連結する外周梁と、を備え、
前記第１の風力低減材は、前記外周柱および前記外周梁に支持されることを特徴とする請求項１または２に記載の太陽電池アレイの支持構造。
【発明の詳細な説明】
【技術分野】
【０００１】
本発明は、建物の屋上に設置される太陽電池アレイを支持する構造に関する。
【背景技術】
【０００２】
従来より、太陽光発電によりエネルギー自給率を高めることを目的として、地表面上や建物屋上に複数の太陽電池パネルからなる太陽電池アレイを設置することが提案されている（特許文献１、２参照）。
特許文献１には、複数の太陽電池アレイを配置した太陽電池アレイ群の後面や側面に防風体を設けることが提案されている。しかしながら、建物屋上に太陽電池アレイを設置する場合、建物にどのように防風体を取り付けるのか不明であった。
特許文献２には、建物の屋根面にソーラーパネルを固定するソーラーパネル用取付架台が示されている。このソーラーパネル用取付架台は、ソーラーパネルの上下両面を一対の挟持部で挟み込むことで、サイズや形状の異なる種々のソーラーパネルに適用可能である。しかしながら、特許文献２には、屋上設置型のソーラーパネルに作用する風荷重を低減させることで、ソーラーパネル用取付架台の縮小化や構造安全性を高める技術的思想は示されていない。
【０００３】
また、建物屋上に設置する太陽電池アレイにおいては、エネルギー自給率をさらに向上させるため、太陽電池アレイの設置面積をさらに拡張することが要請されている。
その際、一部の太陽電池アレイが建物屋上の周縁部に設置されることになる。すると、建物の外壁面に吹き付ける風が、外壁面に沿って上昇し、この屋上周縁部に設置された太陽電池アレイの下面に当たるので、この太陽電池アレイの下面には、太陽電池アレイを上向きに持ち上げようとする正圧が生じることになる。さらに、この建物屋上の周縁部に設置される太陽電池アレイには、太陽電池アレイの下面側に加わる上向き力に加えて、太陽電池アレイの上方側を通り抜ける風によって、太陽電池アレイを上面側に押し上げる風力が作用することが多い。よって、太陽電池アレイやこの太陽電池アレイの支持架台が構造安定性を確保できないおそれがあった（図４（ｂ）を参照）。
【０００４】
また、特許文献３には、高層ビル等の地上部分に発生するビル風を低減するため、建物の所定高さの壁面に設けた風向変更部材を上下に稼動させることで、平面視における風向変更部材の面積を変化させて、ビル風の風向を変え、建物上部の壁面に沿って地上に吹き下ろすビル風を低減するビル風低減装置が示されている。しかしながら、特許文献３のビル風低減方法は、建物上部の風面に沿って吹き下ろすビル風が対象であり、建物屋上に設置する工作物（太陽電池アレイ）に加わる揚力を低減させるには、建物周りでの上昇風の低減方法に関する詳細な分析および検討が必要であった。さらに、特許文献３のビル風低減方法では、風向変更部材を制御するために建物屋上に設置する風向風速測定手段や風向変更部材を稼動させる揺動駆動手段が必要であり、制御装置等が高額となるため、中低層建物の屋上に設置する太陽電池アレイにビル風低減手段として使用するには低コスト化が課題であった。
【先行技術文献】
【特許文献】
【０００５】
【特許文献１】特開２０１６−２１４０６３号公報
【特許文献２】特開２０１２−１２７７８号公報
【特許文献３】特開平７−２１７２５４号公報
【発明の概要】
【発明が解決しようとする課題】
【０００６】
本発明は、建物屋上に設置する太陽電池アレイおよびその支持架台について、高い構造安定性を確保できる太陽電池アレイの支持構造を提供することを課題とする。
【課題を解決するための手段】
【０００７】
本発明者らは、建物の屋上設置型の太陽電池アレイの支持構造として、建物の外壁面から一定の距離をあけて、建物屋上から所定高さまで垂下される第１の風力低減材、および、建物の外壁面から外側に向かって略水平に延びる第２の風力低減材のうち、少なくとも一方を設けることで、建物の壁面近傍や屋上付近に発生する強風を低減できる点と、太陽電池アレイの支持架台を建物外壁面の外側まで延長することで、建物を増築することなく、大規模な設置面積を有する建物屋上設置型の太陽電池アレイの支持構造が実現可能である点とに着眼し、本発明を発明するに至った。
第１の発明の太陽電池アレイの支持構造（例えば、後述の太陽電池アレイの支持構造１）は、建物（例えば、後述の建物１０）の屋上に設置された太陽電池アレイ（例えば、後述の太陽電池アレイ３０）の支持構造であって、前記建物の屋上面（例えば、後述の屋上面１２）に設けられた支持架台（例えば、後述の支持架台２０）と、当該支持架台に支持された太陽電池アレイと、前記太陽電池アレイに作用する風力を低減する風力低減機構（例えば、後述の風力低減機構４０）と、を備え、当該風力低減機構は、平面視で当該建物の外壁面（例えば、後述の外壁面１１）から離れて配置されかつ前記太陽電池アレイの上面の高さ位置から前記屋上面よりも下方まで延びる板状の第１の風力低減材（例えば、後述のメッシュ膜５０）、および、前記建物の外壁面から外側に向かって略水平に延びる第２の風力低減材（例えば、後述のグレーチング６０）のうち、少なくとも一方を備えることを特徴とする。
【０００８】
この発明によれば、建物の外部に風力低減手段として、太陽電池アレイの上面の高さ位置から建物の屋上面よりも下方まで延びる第１の風力低減材、および、前記建物の外壁面から外側に向かって略水平に延びる第２の風力低減材のうち、少なくとも一方を設けた。よって、建物の外壁面に吹き付ける風が第１の風力低減材や第２の風力低減材で遮られるから、建物の外壁面に沿って上昇する風量が低減して、屋上周縁部に設置された太陽電池アレイの下面に生じる正圧を低く抑えることができる（図４（ｂ）参照）。これにより、太陽電池アレイやその支持架台の構造安定性を高めることができ、太陽電池アレイの支持架台の小型化や太陽電池アレイの支持構造の簡素化が可能である。
【０００９】
第２の発明の太陽電池アレイの支持構造は、前記太陽電池アレイ（例えば、後述の太陽電池アレイ３０Ａ）は、前記建物の外壁面の外側に設けられ、前記風力低減機構は、当該太陽電池アレイまたは前記支持架台に支持されて当該太陽電池アレイの下面を覆う第３の風力低減材（例えば、後述のメッシュ膜７０）を備えることを特徴とする。
【００１０】
この発明によれば、風力低減手段として、建物の外壁面から外側に設置される太陽電池アレイの下面を覆う第３の風力低減材を設けたので、建物外壁面と外壁面に沿って上昇してきた風が、太陽電池アレイの裏面に直接当たることはない。よって、太陽電池アレイに作用する風量や風圧を低減して、太陽電池アレイの構造安全性を高めることができる。
【００１１】
第３の発明の太陽電池アレイの支持構造は、前記支持架台は、前記建物の外壁面の外側まで延長して設けられており、前記建物の外側の地表面に設けられた外周柱と、当該外周柱同士を連結する外周梁と、を備え、前記第１の風力低減材は、前記外周柱および前記外周梁に支持されることを特徴とする。
【００１２】
この発明によれば、太陽電池アレイを支持する支持架台を建物の外壁面の外側まで延長した。よって、建物の屋上の平面積（具体的には、建物の建築面積）を増加させることなく、太陽電池アレイの設置面積を拡大できるので、建物屋上に大規模な太陽電池アレイを設置できる。よって、太陽光発電で得られる電気エネルギーを増やすことができ、建物のエネルギー自給率が高められる。
また、地表面上に設置された外周柱および外周梁で構成される外周柱梁架構に第１の風力低減材を取り付けた。この外周柱梁架構により奥行きを有する立体架構体が形成されるため、風力や地震荷重に対する太陽電池アレイの支持構造の耐震安全性能を高めることができる。
【発明の効果】
【００１３】
本発明によれば、建物屋上に設置した太陽電池アレイおよびその支持架台において、高い構造安定性を確保できる。
【図面の簡単な説明】
【００１４】
【図１】本発明の第１実施形態に係る太陽電池アレイの支持構造が適用された建物の屋上平面図である。
【図２】図１に示す建物のＡ−Ａ断面図である。
【図３】図１に示す建物のＢ−Ｂ矢視図である。
【図４】従来の太陽電池アレイに作用する風圧の説明図である。
【図５】本発明の太陽電池アレイに作用する風圧の説明図である。
【図６】本発明の太陽電池アレイの風洞実験用の建物縮小模型の説明図である。
【図７】本発明の比較例に係る建物縮小模型を使用した風洞実験結果のピーク風力分布である。
【図８】本発明の実施例１に係る建物縮小模型を使用した風洞実験結果のピーク風力分布である。
【図９】本発明の実施例２に係る建物縮小模型を使用した風洞実験結果のピーク風力分布である。
【図１０】本発明の第２実施形態に係る太陽電池アレイの支持構造の部分拡大図である。
【発明を実施するための形態】
【００１５】
本発明は、建物の外壁面から一定の距離をあけて、建物屋上から所定高さまで垂下される第１の風力低減材、および、建物の外壁面から外側に向かって略水平に延びる第２の風力低減材のうち少なくとも一方が設置された建物の屋上設置型の太陽電池アレイの支持構造である。本発明は、建物の外壁面から外側に風力低減手段（第１〜３の風力低減材）を設けるとともに、建物の屋上面から外側まで太陽電池アレイの支持架台を設置することで、風力を低減しつつ、屋上平面積を上回る設置面積を備えた太陽電池アレイの支持構造である点を特徴とする。
本発明の第１実施形態は、建物の外壁面の外側まで太陽電池アレイの支持架台を延長するとともに、建物の外壁面から外側に一定の距離をあけて、建物屋上から所定高さまで第１の風力低減材（例えば、メッシュ膜）を垂下させ、かつ、第１の風力低減材と建物外壁面との間に略水平に延びる第２の風力低減材（例えば、グレーチング）を設置した、太陽電池アレイの支持構造である（図１〜３）。
また、第２実施形態は、第１実施形態に設けられた第１、２の風力低減材に加えて、建物の外壁面から外側まで延設された太陽電池アレイの直下に第３の風力低減材を設置した太陽電池アレイの支持構造である（図Ａ）。
【００１６】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る太陽電池アレイの支持構造１が適用された建物１０の屋上平面図である。図２は、建物１０のＡ−Ａ断面図である。図３は、建物１０のＢ−Ｂ矢視図（外観図）である。
太陽電池アレイの支持構造１は、建物１０の屋上に設置された太陽電池アレイ３０を支持するものである。この建物１０は、鉄筋コンクリート造の３階建ての建物である。
太陽電池アレイの支持構造１は、建物１０の外側および屋上面１２に設けられた支持架台２０と、支持架台２０の上面に支持された複数の太陽電池パネルからなる太陽電池アレイ３０と、太陽電池アレイ３０に作用する風力を低減する風力低減機構４０と、を備える。風力低減機構４０は、支持架台２０に支持された第１の風力低減材としてのメッシュ膜５０と、第２の風力低減材としてのグレーチング６０と、を備える。
【００１７】
支持架台２０は、建物１０の外壁面１１の外側の地表面２に設けられた複数本の外周柱２１と、これら外周柱２１同士を連結する外周梁２２と、外周柱２１と建物１０とを連結する連結梁２３と、建物１０の屋上面１２に設けられた屋上柱２４と、屋上柱２４同士あるいは屋上柱２４と外周柱２１とを連結する屋上梁２５と、を備える。これにより、支持架台２０は、建物１０の外壁面１１の外側まで延長して設けられていることになる。
外周梁２２は、建物１０の２階床レベル、３階床レベル、屋上階床レベル、および外周柱２１の上端レベルに設けられている。
連結梁２３は、建物１０の２階床レベル、３階床レベル、屋上階床レベルに設けられている。
外周梁２２同士の間で、外周梁２２の近傍、建物１０の窓１３の上端の高さ位置、および窓１３の下端の高さ位置には、メッシュ膜５０を支持するための膜固定部材２６が設けられている。
【００１８】
メッシュ膜５０は、図１に示すように、平面視で、建物１０の隣接する３つの外壁面に略コの字形状に設置される。メッシュ膜５０は、図２に示すように、膜固定部材２６に固定されており、これにより、外周柱２１および外周梁２２からなる面状の柱梁架構に支持されている。このメッシュ膜５０は、開口率が３０％の膜材であり、建物１０の窓１３の正面を避けて取り付けられている。
よって、メッシュ膜５０は、支持架台２０の外面に沿って設けられており、平面視で建物１０の外壁面１１から離れて配置され、かつ、太陽電池アレイ３０の上面の高さ位置から屋上面１２よりも下方まで鉛直方向に延びる板状となっている。
具体的には、メッシュ膜５０は、各階の床レベルに設置されるグレーチング６０を上下から挟むように配置される。つまり、建物途中階において、各メッシュ膜５０の上端は、腰壁上端の高さに設けられた膜固定部材２６に固定され、メッシュ膜５０の下端は、垂れ壁下端の高さに設けられた膜固定部材２６に固定されている。よって、各階の窓１３の高さ位置には、メッシュ膜５０は設置されておらず、窓１３からの眺望が確保されている。
【００１９】
グレーチング６０は、平面視で格子状でありかつ水平方向に延びる板状の部材であり、連結梁２３の上に架設されている。これにより、グレーチング６０は、各階床レベルでメッシュ膜５０と建物１０の外壁面１１との間に設けられて、各階のバルコニーの役割を果たす。このグレーチング６０は、外周柱２１および外周梁２２からなる面状の柱梁架構と建物１０の外壁面１１との間に設けられている。
【００２０】
太陽電池アレイの支持構造１を以上のような構成とした理由は、以下の通りである。
太陽電池アレイ用支持物設計標準（ＪＩＳ  Ｃ  ８９５５）には、太陽電池アレイ用の設計支持物の設計用荷重の算出方法が示されている。この太陽電池アレイ用支持物設計標準では、陸屋根の場合、屋根端部から辺長の１０％以内の範囲は、適用外とされている。したがって、太陽電池アレイを建物屋上に設置する場合、現行の太陽電池アレイ用支持物設計標準のみに従って設置すると、設置面積が狭くなる。
【００２１】
このように規定されている理由は、以下の通りである。すなわち、図４（ａ）に示すように、太陽電池アレイを建物屋上の周縁部に設置せず、中央部にのみ設置した場合、図４（ａ）中の矢印のように風が流れるので、周縁部の太陽電池アレイには、上面および下面に負圧（面を引っ張る力）が生じる。よって、この太陽電池アレイの上面および下面に作用する圧力の差が小さくなるので、太陽電池アレイに作用する風力は小さくなる。
これに対し、図４（ｂ）に示すように、太陽電池アレイを建物屋上の周縁部にも設置した場合、図４（ｂ）中の矢印のように風が流れるので、周縁部の太陽電池アレイには、上面に大きな負圧が生じ、下面に正圧（面を押す力）が生じる。よって、この太陽電池アレイの上面および下面に作用する圧力の差が大きくなるので、太陽電池アレイに作用する風力は大きくなる。したがって、本願発明のような風力低減機構を設けない場合、太陽電池アレイの支持架台を大型化して強固な構造とする必要があった。
【００２２】
本発明では、太陽電池アレイの設置面積を拡大するため、図５（ａ）に示すように、太陽電池アレイを建物の外壁面よりも外側に張り出して設置した。そして、周縁部の太陽電池アレイに作用する風力を小さくするため、建物の外壁面の外側に、太陽電池アレイの上面の高さ位置から建物屋上よりも下方まで延びる第１の風力低減手段（メッシュ膜）を設けた。よって、建物外壁面から所定距離だけ離れて、メッシュ膜で建物外壁面を覆うことで、建物外壁面に沿って上昇する風が低減され、太陽電池アレイの下面に作用する正圧を小さくして、太陽電池アレイに作用する風力を低減する。
また、図５（ｂ）に示すように、建物の屋上近くの外壁面に側方から風が当たると、この風は外壁面に沿って上昇する気流と、外壁面に沿って下降する気流とに分かれる。これら２つの気流の境界は停留点と呼ばれている。外壁面に沿って上昇する気流を少しでも弱めるため、上述のメッシュ膜はこの停留点よりも下方まで延びていることが好ましい。
【００２３】
〔風洞実験〕
上述のように、太陽電池アレイの設置面積を広く確保するため、屋上周縁部にも太陽電池アレイを設置する必要がある。そこで、太陽電池アレイが建物の外壁面よりも外側に張り出した場合に、太陽電池アレイに作用する風荷重を把握するため、以下のように風洞実験を行った。風洞実験では、建物縮小模型に風力低減手段を設置した場合（実施例１、実施例２）と、建物縮小模型に風力低減手段を設置しなかった場合（比較例）と、について実験を行った。
風洞実験には、図６（ａ）〜（ｃ）に示すような寸法の建物縮小模型を用いて、図６（ａ）中白抜き矢印の方向から風を当てて、所定の測定点でピーク風力係数を測定した。具体的には、建物縮小模型を、直方体（建物）と、この直方体の上面に設けた板材（太陽電池アレイ）と、直方体の側面の外側に上下に延びる板材（第１の風力低減材）とで構成した。
【００２４】
実施例１は、建物屋上の太陽電池アレイの周囲にメッシュ膜を設けた場合である。風荷重の影響のみを考慮するのであれば、太陽電池アレイの下側の空間をパネルで囲むことで、太陽電池アレイの下面に作用する正圧を低減すればよい。しかし実際には、太陽電池アレイの下側の空間をパネルで囲むと、この空間の風通しが悪くなり、太陽電池アレイの温度が上昇して、発電効率が低下するおそれがあった。そこで、太陽電池アレイの下側の空間をパネルではなくメッシュ膜で囲むことで、太陽電池アレイの下面に作用する正圧を低減しつつ、太陽電池アレイの下面の通風性を確保する。なお、メッシュ膜の開口率が低過ぎると通気性が低下するため、メッシュ膜の開口率を３０％とした。
実施例２は、実施例１と同様に太陽電池アレイの周囲にメッシュ膜を設けたが、非常用進入口として、一部のメッシュ膜を撤去した場合であり、実際の太陽電池アレイの設置方法に近い。
また、比較例１は、メッシュ膜を設けなかった場合である。
【００２５】
図７〜図９は、比較例、実施例１、および実施例２の風洞実験結果のピーク風力分布である。具体的には、図７〜図９は、各測定点におけるピーク風力係数の分布であり、理解の容易のため、各ピーク風力係数は１００倍した値を示している。
風洞実験の結果、図７に示す風力低減手段が設けられていない比較例のピーク風力係数の最大値は、風洞実験の風が当たる外壁面でかつ当該外壁面より外側の位置において、−６．０５であった。また、図８に示す建物外壁面より外側に第１の風力低減材（メッシュ膜）を設けた実施例１のピーク風力係数の最大値は、図７に示す風力低減手段が設けられていない比較例で最大値を示した建物外壁面の外側位置とは異なり、風洞実験の風が当たる外壁面に隣接する外壁面でかつ当該外壁面の外側の位置において、−４．５５であった。さらに、図９に示す実施例２のピーク風力係数の最大値は、実施例１のピーク風力係数の最大値が得られた位置と同様の位置において、−４．５０であった。したがって、メッシュ膜を設けることで、ピーク風力係数の最大値は、図９に示す実施例２では、図７に示す比較例に対して、約２５％低減された。よって、本発明の第１の風力低減材によってピーク風力を低減できることが判った。
【００２６】
太陽電池アレイに作用する風荷重Ｗは、以下の式（１）によって表わされる。
Ｗ＝ｑＨ×Ｃｆ
ここで、Ｗ：風荷重（Ｎ／ｍ２）
ｑＨ：設計速度圧（Ｎ／ｍ２）
Ｃｆ：ピーク風力係数
【００２７】
このうち、設計速度圧ｑＨは、建設省告示第１４５４号、第１４５８号に従って求められる。
例えば、計算条件を以下のように設定する。
場所：神奈川県横浜市
地表面粗度区分：ＩＩＩ
建物高さＨ：１５ｍ
【００２８】
場所が神奈川県横浜市であるので、基準風速ＶＯは３４（ｍ／ｓ）となる。また、地表面粗度区分がＩＩＩであるので、Ｚｂが５ｍ、ＺＧが４５０ｍ、αが０．２となる。
すると、設計速度圧ｑＨは、以下の式（２）で求められる。
ｑＨ＝０．６×｛１．７×（Ｈ／ＺＧ）α×ＶＯ｝２
＝０．６×｛１．７×（１５／４５０）０．２×３４｝２
＝５１４（Ｎ／ｍ２）
【００２９】
上述のように、風洞実験により、メッシュ膜を設けなかった場合（比較例）、ピーク風力係数の絶対値の最大値は、６．０５であった。一方、メッシュ膜を設けた場合（実施例１、実施例２）、ピーク風力係数の絶対値の最大値は、４．５５であった。
よって、メッシュ膜を設けなかった場合、太陽電池アレイに作用する風荷重Ｗの最大値は、６．０５×５１４＝３１０９．７（Ｎ／ｍ２）となる。一方、メッシュ膜を設けた場合、太陽電池アレイに作用する風荷重Ｗの最大値は、４．５５×５１４＝２３３８．７（Ｎ／ｍ２）となる。
低層建物用の一般的な太陽電池アレイの耐荷重は２４００Ｎ／ｍ２であり、高層建物用の太陽電池アレイの耐荷重は５４００Ｎ／ｍ２である。よって、高さ１５ｍの屋根上に太陽電池アレイを設置する場合、メッシュ膜を設けない場合には、高層建物用の太陽電池アレイを用いる必要があるため、設置コストが上昇するが、メッシュ膜を設けることで、低層建物用の一般的な太陽電池アレイを用いることができ、設置コストを抑制できることが判る。
【００３０】
本実施形態によれば、以下のような効果がある。
（１）太陽電池アレイ３０の上面の高さ位置から建物１０の屋上面１２よりも下方まで延びるメッシュ膜５０を設けた。よって、建物１０の外壁面１１に吹き付ける風がメッシュ膜５０で遮られるから、建物１０の外壁面１１に沿って上昇する風量を低減して、屋上周縁部に設置された太陽電池アレイ３０の下面に生じる正圧を低減できる。これにより、太陽電池アレイ３０やその支持架台２０の構造安定性を確保できる。
【００３１】
（２）メッシュ膜５０と建物１０の外壁面１１との間に、水平方向に延びるグレーチング６０を設けた。よって、メッシュ膜５０と建物１０の外壁面１１との間を風が上昇するのを抑制して、屋上周縁部に設置された太陽電池アレイ３０の下面に生じる正圧をより低減できる。
（３）太陽電池アレイ３０を支持する支持架台２０を、建物１０の外壁面１１の外側まで延長した。よって、建物１０の屋上の平面積（建物１０の建築面積）を増加させることなく、太陽電池アレイ３０の設置面積を拡大できる。
また、地表面上に設置された外周柱２１、外周梁２２、および連結梁２３で構成される外周柱梁架構にメッシュ膜５０を取り付けた。これら外周柱２１、外周梁、および連結梁２３からなる外周柱梁架構が奥行きを有する立体架構体を形成するので、風力や地震荷重に対する太陽電池アレイの支持構造１の耐震安全性能を高めることができる。
【００３２】
〔第２実施形態〕
図１０は、本発明の第２実施形態に係る太陽電池アレイの支持構造１Ａの部分拡大図である。
本実施形態では、風力第１風力低減材としてのメッシュ膜５０および第２の風力低減材としてのグレーチング６０に加えて、第３の風力低減材としてのメッシュ膜７０を設けた点が、第１実施形態と異なる。
すなわち、第３の風力低減材であるメッシュ膜７０は、建物１０の外壁面１１よりも外側まで延設された太陽電池アレイ３０Ａの下面を覆うように設けられている。具体的には、太陽電池アレイ３０Ａは、束柱３１により屋上梁２５の上方に設置されている。また、メッシュ膜７０は、最上段の外周梁２２および屋上梁２５に支持されている。このとき、例えば、屋上梁２５の上フランジの上面に図示しないボルトを溶接し、このボルトをメッシュ膜７０に貫通させてナットを締め付けることで、メッシュ膜７０を屋上梁２５に固定する。
なお、本実施形態では、第３の風力低減材としてメッシュ膜７０を用いたが、これに限らず、第３の風力低減材として、パンチングメタル、有孔板（例えば、カルシウム板、フレキシブル板）などを用いてもよい。
また本実施形態では、メッシュ膜７０を、外周梁２２および屋上梁２５に取り付けたが、これに限らず、メッシュ膜７０を太陽電池アレイ３０Ａの下面部に留め金具等で固定してもよい。
【００３３】
本実施形態によれば、上述の（１）〜（３）の効果に加えて、以下の作用効果がある。
（４）建物１０の外壁面１１から外側に延出する太陽電池アレイ３０Ａの下面に第３の風力低減材であるメッシュ膜７０を設けたので、建物１０の外壁面１１とこの外壁面１１から離れた位置に設けられたメッシュ膜５０との間を上昇してきた風が、太陽電池アレイ３０Ａの下面に当たることはなく、太陽電池アレイ３０Ａに作用する風量や風圧を低減でき、太陽電池アレイ３０Ａの構造安全性を高めることができる。
【００３４】
なお、本発明は前記実施形態に限定されるものではなく、本発明の目的を達成できる範囲での変形、改良等は本発明に含まれるものである。
例えば、上述の各実施形態では、第１の風力低減材であるメッシュ膜５０および第２の風力低減材であるグレーチング６０を各階に設けたが、これに限らず、メッシュ膜５０およびグレーチング６０を建物１０の上層階のみに設けてもよい。具体的には、メッシュ膜５０およびグレーチング６０を、屋上階から図５に示す停留点が位置する階の垂れ壁の下端まで設置してもよい。
また、上述の各実施形態では、第１の風力低減材であるメッシュ膜５０、第２の風力低減材であるグレーチング６０、および第３の風力低減材であるメッシュ膜７０を、建物１０の外壁面１１の全面に設けたが、これに限らない。すなわち、建物１０に接近して他の建物が配置されており、建物１０の屋上付近に強風が作用しない場合は、メッシュ膜５０、グレーチング６０、およびメッシュ膜７０を、外壁面１１の全面ではなく、外壁面１１の一部のみに設けてもよい。
【符号の説明】
【００３５】
１、１Ａ…太陽電池アレイの支持構造  ２…地表面
１０…建物  １１…外壁面  １２…屋上面  １３…窓
２０…支持架台  ２１…外周柱  ２２…外周梁  ２３…連結梁  ２４…屋上柱
２５…屋上梁  ２６…膜固定部材  ３０、３０Ａ…太陽電池アレイ  ３１…束柱
４０…風力低減機構  ５０…メッシュ膜（第１の風力低減材）
６０…グレーチング（第２の風力低減材）  ７０…メッシュ膜（第３の風力低減材）
【図１】
2019161793.tif 000003
【図２】
2019161793.tif 000004
【図３】
2019161793.tif 000005
【図４】
2019161793.tif 000006
【図５】
2019161793.tif 000007
【図６】
2019161793.tif 000008
【図７】
2019161793.tif 000009
【図８】
2019161793.tif 000010
【図９】
2019161793.tif 000011
【図１０】
2019161793.tif 000012